(57)【特許請求の範囲】
【請求項１】
吸込口及び吹出口が形成され、内部にファンが収納された筐体と、
前記吹出口に設けられ、該吹出口から吹き出される空気の向きを調整するベーンと、
を備えた空気調和機であって、
前記ベーンは、その中間部が少なくとも１つの支持軸構造によって回転自在に前記筐体に取り付けられ、
該支持軸構造は、
前記ベーンの背面部に取り付けられるベース板と、
該ベース板に突設された突片と、
前記突片もしくは前記筐体に設けられた軸と、
前記軸を回転自在に支持するように、前記筐体もしくは前記突片に設けられた軸受部と、
前記ベーンの背面部に突設され、前記ベーンとの間で前記ベース板を挟み込み、前記軸の前記軸受部への挿入方向に沿って摺動可能に前記ベース板を支持する爪部と、
前記ベース板の側縁部に突設された係止片と、
前記ベーンの背面部に設けられたカバー部と、
を備え、
前記ベーンが前記支持軸構造を介して前記筐体に取り付けられた状態においては、
前記係止片の第１側縁部が前記爪部の側縁部に接触し、前記軸が前記軸受部から抜け出ることを防止し、
前記カバー部が前記突片を覆うことを特徴とする空気調和機。
【請求項２】
前記ベーンが前記支持軸構造を介して前記筐体に取り付けられた状態においては、
前記ベーンの背面部と対向する面の反対面である前記ベース板の上面部には、前記カバー部が覆っていない範囲に突出物が形成されていないことを特徴とする請求項１に記載の空気調和機。
【請求項３】
前記ベーンの背面部と前記爪部との間に形成される隙間は、
該隙間に挟み込まれる範囲の前記ベース板の厚さ以下の大きさになっていることを特徴とする請求項１又は請求項２に記載の空気調和機。
【請求項４】
「前記係止片の第１側縁部」と「前記ベース板の側縁部」とが形成する角度は、
「前記第１側縁部とは反対側の側縁部である前記係止片の第２側縁部」と「前記ベース板の側縁部」とが形成する角度よりも小さいことを特徴とする請求項１〜請求項３のいずれか一項に記載の空気調和機。
【請求項５】
前記カバー部は、前記挿入方向に沿って設けられ前記突片を収容する側壁部と、前記側壁部の一端側に設けられた開口部と、前記側壁部の他端側に設けられた閉塞部と、前記閉塞部に設けられ前記軸を貫通させる貫通孔と、を備えることを特徴とする請求項１〜請求項４のいずれか一項に記載の空気調和機。
【発明の詳細な説明】
【技術分野】
【０００１】
本発明は、吹出口から吹き出される空気の向きを調整するベーンが該吹出口に設けられた空気調和機に関するものである。
【背景技術】
【０００２】
従来より、工具や大掛かりな組立作業を必要とせずとも容易にベーンを脱着出来る空気調和機が提案されている（例えば特許文献１参照）。
【先行技術文献】
【特許文献】
【０００３】
【特許文献１】特開平９−５３８５４号公報（要約、図１）
【発明の概要】
【発明が解決しようとする課題】
【０００４】
工具や大掛かりな組立作業を必要とせずとも容易にベーンを脱着出来る従来の空気調和機は、一般ユーザーが素手で容易にベーンを着脱できるため、ベーンが取り外された状態で空気調和機を運転してしまう場合がある。このため、ベーンが取り外された状態で空気調和機を運転中、一般ユーザーが誤って筐体内部に設けられた貫流ファンに指を接触させてしまうという問題点があった。
一方、ベーンを容易に着脱できない構造にしてしまうと、サービス業者が空気調和機の内部をメンテナンスしようとする際、作業がやり辛くなってしまうという問題点があった。
【０００５】
本発明は、上記のような課題を解決するためになされたものであり、素手では容易にベーンを取り外すことができないが、一般的な工具を用いることにより容易にベーンを取り外すことが可能な空気調和機を得ることを目的とする。
【課題を解決するための手段】
【０００６】
本発明に係る空気調和機は、吸込口及び吹出口が形成され、内部にファンが収納された筐体と、吹出口に設けられ、該吹出口から吹き出される空気の向きを調整するベーンと、を備えた空気調和機であって、ベーンは、その中間部が少なくとも１つの支持軸構造によって回転自在に筐体に取り付けられ、該支持軸構造は、ベーンの背面部に取り付けられるベース板と、ベース板に突設された突片と、突片もしくは筐体に設けられた軸と、軸を回転自在に支持するように、筐体もしくは突片に設けられた軸受部と、ベーンの背面部に突設され、ベーンとの間でベース板を挟み込み、軸の軸受部への挿入方向に沿って摺動可能にベース板を支持する爪部と、ベース板の側縁部に突設された係止片と、ベーンの背面部に設けられたカバー部と、を備え、ベーンが支持軸構造を介して筐体に取り付けられた状態においては、係止片の第１側縁部が爪部の側縁部に接触して軸が軸受部から抜け出ることを防止し、カバー部が突片を覆うものである。
【発明の効果】
【０００７】
本発明においては、ベース板を軸の軸受部への挿入方向に沿って摺動させ、軸受部から軸を抜き出すことにより、ベーンを取り外すことができる。また、軸受部から軸を抜き出すには、係止片が爪部を乗り越えるように、ベース板を軸の軸受部への挿入方向に沿って摺動させる必要がある。このとき、素手でベース板を摺動させて軸受部から軸を抜き出そうとしても、指を引っかけることができる突片はカバー部に覆われているため、軸受部から軸を容易に抜き出すことができない。一方、ドライバー等の一般的な工具を用いることにより（例えばドライバーを係止片の側縁部に押し当てて、係止片が爪部を乗り越えるようにベース板を摺動させる等）、容易に軸受部から軸を抜き出すことができる。
したがって、本発明においては、素手では容易にベーンを取り外すことができないが、一般的な工具を用いることにより容易にベーンを取り外すことが可能な空気調和機を得ることができる。
【図面の簡単な説明】
【０００８】
【図１】本発明の実施の形態に係る空気調和機を示す外観斜視図である。
【図２】本発明の実施の形態に係る空気調和機の吹出口近傍を示す要部拡大図（斜視図）である。
【図３】本発明の実施の形態に係る支持軸構造を示す組立斜視図である。
【図４】本発明の実施の形態に係る支持軸構造を示す組立斜視図である。
【図５】本発明の実施の形態に係る支持軸構造を示す分解斜視図である。
【図６】本発明の実施の形態に係る支持軸構造の中間支持軸体を示す斜視図である。
【図７】図５のＡ−Ａ断面図である。
【図８】本発明の実施の形態に係るベーンに中間支持軸体を取り付けた状態を示す斜視図である。
【発明を実施するための形態】
【０００９】
実施の形態．
図１は、本発明の実施の形態に係る空気調和機（より詳しくは、室内機）を示す外観斜視図である。また、図２は、この空気調和機の吹出口近傍を示す要部拡大図（斜視図）である。
空気調和機１００の筐体１は、例えば上面部に吸込口１ａが形成されており、例えば前面下部に吹出口１ｂが形成されている。そして、筐体１の内部には、例えば貫流ファンであるファン２や熱交換器（図示せず）が収納されている。ファン２が駆動すると、吸込口１ａから筐体１内に空調空間の空気が吸い込まれる。この空気は、熱交換器を流れる冷媒と熱交換して所望の温度に調整され、吹出口１ｂから吹き出される。
【００１０】
また、本実施の形態に係る空気調和機１００は、吹出口１ｂに、吹出口１ｂから吹き出される空気の方向を調整するベーンが設けられている。本実施の形態では、略直方体の板形状である２つのベーン（上ベーン３及び下ベーン４）が設けられている。これら上ベーン３及び下ベーン４は、長手方向（図１の左右方向）の両端部に軸５が設けられている。この軸５は、筐体１に設けられた軸受部６に挿入されて回転自在に支持されている。上ベーン３及び下ベーン４が軸５を中心として回転することにより、吹出口１ｂから吹き出される空気の向きを上下方向に調整することができる。
【００１１】
ここで、上ベーン３及び下ベーン４は、板形状であるために撓み易く、吹出口１ｂから吹き出される空気によってビビリや外れが発生する場合がある。このため、本実施の形態に係る空気調和機１００では、上ベーン３及び下ベーン４の中間部を支持軸構造１０によって回転自在に支持している。なお、本実施の形態における「中間部」とは、上ベーン３及び下ベーン４の長手方向における厳密な中間位置ではなく、上ベーン３及び下ベーン４の両端部の間を示すものとする。また、本実施の形態では、上ベーン３及び下ベーン４の中間部の２箇所を支持軸構造１０で支持しているが、支持軸構造で支持する箇所の個数は任意である。
【００１２】
（中間部支持軸構造の詳細）
次に、本実施の形態に係る支持軸構造１０の詳細について説明する。なお、上ベーン３及び下ベーン４の中間部は同一構造の支持軸構造１０で支持されているため、以下では、上ベーン３の中間部を支持軸構造１０で支持する場合について説明する。
【００１３】
図３及び図４は、本発明の実施の形態に係る支持軸構造を示す組立斜視図である。また、図５はこの支持軸構造の分解斜視図であり、図６はこの支持軸構造の中間支持軸体を示す斜視図であり、図７は、図５のＡ−Ａ断面図である。なお、図３は、図１において左上方から支持軸構造を観察した斜視図である。また、図４は、図１において右上方から支持軸構造を観察した斜視図である。
【００１４】
本実施の形態に係る支持軸構造１０は、中間支持軸体２０、軸受部１１、カバー部３１及び爪部３２を備えている。
【００１５】
中間支持軸体２０は、ベース板２１、本発明の突片に相当する軸サポート片２２及び軸２３を備えている。ベース板２１は、略直方体の板形状をしており、長手方向に沿ってスリット２４が形成されている。また、ベース板２１の側縁部（より詳しくは、長手方向の側縁部）には、爪部３２に係止される係止片２５が形成されている。この中間支持軸体２０は、上ベーン３の背面部（上ベーン３が閉じたときに筐体１の内部と対向する側の面）に取り付けられるものである。中間支持軸体２０が上ベーン３の背面部に取り付けられた状態においては、中間支持軸体２０の長手方向と上ベーン３の長手方向が同方向となる。このため、ベース板２１にスリット２４を設けても、ベース板２１は、上ベーン３のビビリや外れを防止するために十分な強度を有することができる。
【００１６】
軸サポート片２２は、例えばベース板２１の端部から突設されている。この軸サポート片２２には、軸受部１１に挿入される軸２３が設けられている。軸２３を軸受部１１に挿入する方向は、上ベーン３の両端部に設けられた軸５を軸受部６に挿入する方向と同方向（つまり、上ベーン３の長手方向と同方向）となっている。
【００１７】
軸受部１１は、上述のように中間支持軸体２０の軸が挿入され、中間支持軸体２０を回転自在に支持するものである。この軸受部１１は、筐体１に設けられている。なお、軸受部１１を中間支持軸体２０の軸サポート片２２に設け、軸２３を筐体１に設けても勿論よい。
【００１８】
カバー部３１及び爪部３２は、上ベーン３の背面部に設けられている。カバー部３１は、中間支持軸体２０が上ベーン３の背面部に取り付けられた際、軸サポート片２２を覆うものである。爪部３２は、中間支持軸体２０が上ベーン３の背面部に取り付けられた際、ベース板２１の長手方向の側縁部と対向して設けられるものである。この爪部３２と上ベーン３の背面部との間にベース板２１を挟み込み、中間支持軸体２０を支持する。爪部３２がベース板２１の長手方向の側縁部と対向して設けられるので、中間支持軸体２０が上ベーン３の背面部に取り付けられた際、中間支持軸体２０は軸５を軸受部６に挿入する方向（つまり、上ベーン３の長手方向）に摺動可能である。なお、爪部３２と上ベーン３の背面部との間に形成される隙間Ｌ２は、爪部３２と上ベーン３の背面部との間に挟まれる範囲のベース板２１の厚みＬ１以下の大きさとなっている（つまり、Ｌ１≧Ｌ２となっている）。
【００１９】
＜ベーンの取り付け・取り外し方法＞
このように構成された空気調和機１００においては、次のように上ベーン３及び下ベーン４の取り付け及び取り外しが行われる。なお、上ベーン３及び下ベーン４の取り付け・取り外し方法は同様のため、以下では、上ベーン３の取り付け・取り外し方法について説明する。
【００２０】
（ベーンの取り付け方法）
まず、上ベーン３の取り付け方法について説明する。
図８は、本発明の実施の形態に係るベーンに中間支持軸体を取り付けた状態を示す斜視図である。以下、この図８及び上記の図１〜図７を参照して、上ベーン３の取り付け方法について説明する。
【００２１】
始めに、中間支持軸体２０のベース板２１をスリット２４で撓ませ、爪部３２と上ベーン３の背面部との間にベース板２１を挟み込む。このとき、ベース板２１の側面に突設された係止片２５の第２側縁部２５ｂ（図６参照）が爪部３２の側縁部に接触するように、ベース板２１を挟み込む（図８参照）。このように取り付けられた中間支持軸体２０は、軸２３を軸受部１１に挿入する方向（例えば図８において右側から左側へ向かう方向）においては、係止片２５の第２側縁部２５ｂが爪部３２の側縁部に接触するまで移動（摺動）可能となっている。また、このように取り付けられた中間支持軸体２０は、軸２３を軸受部１１から抜き出す方向（例えば図８において左側から右側へ向かう方向）においては、ベース板２１の端部（図８における右側端部）がストッパー３３に接触するまで移動（摺動）可能となっている。
【００２２】
なお、爪部３２を撓ませてベース板２１を挟み込むようにしてもよい。この場合、スリット２４を設ける必要は特にない。また、本実施の形態においては、中間支持軸体２０の移動をしやすくするため（中間支持軸体２０の軸２３を軸受部１１に挿入しやすくするため）、中間支持軸体２０の移動方向に沿って、上ベーン３の背面部にガイド３４を設けている。このガイド３４は、ベース板２１の裏面（上ベーン３の背面部と対向する面）に形成された溝部に挿入される。
【００２３】
次に、上ベーン３を撓ませ、上ベーン３の両端部に設けられた軸５を筐体１に設けられた軸受部６に挿入する。これにより、上ベーン３の両端部は筐体１に回転自在に支持され、支持軸構造１０の状態は図８に示す状態となる。この図８に示す状態は、中間支持軸体２０の軸２３が未だ軸受部１１に挿入されていない状態である。なお、中間支持軸体２０を上ベーン３に取り付ける工程と、上ベーン３の両端部に設けられた軸５を筐体１に設けられた軸受部６に挿入する工程は、逆の順序で行ってもよい。
【００２４】
次に、中間支持軸体２０の軸２３を軸受部１１に挿入するため、軸２３を軸受部１１に挿入する方向（例えば図８において右側から左側へ向かう方向）に、中間支持軸体２０を移動させる。これにより、中間支持軸体２０の軸２３を軸受部１１に挿入することができる。このとき、係止片２５が爪部３２を乗り越えるまで、中間支持軸体２０を移動させる。これにより、中間支持軸体２０が軸２３を軸受部１１から抜き出す方向に移動しようとした際、係止片２５の第１側縁部２５ａが爪部３２に接触し、軸２３が軸受部１１から抜け出ることを防止できる。つまり、上ベーン３の中間部を支持軸構造１０によって回転自在に支持することができ、吹出口１ｂから吹き出される空気によって上ベーン３にビビリや外れが発生することを防止できる。
【００２５】
また、係止片２５が爪部３２を乗り越えるまで中間支持軸体２０を移動させると、中間支持軸体２０の軸サポート片２２は、カバー部３１の中に入り込む状態となる（図３及び図４参照）。このため、この状態においては、中間支持軸体２０（より詳しくは、ベース板２１の上面部）には、カバー部３１が覆っていない範囲に突出物が形成されていない状態となる。つまり、カバー部３１が覆っていない範囲に指を引っかけられるものが無い状態となっている。
【００２６】
（ベーンの取り外し方法）
続いて、上ベーン３の取り外し方法について説明する。
上ベーン３を取り外すには、上ベーン３を取り付ける工程を逆の順序で行うこととなる。つまり、上ベーン３を取り外すには、まず、中間支持軸体２０の軸２３を軸受部１１から抜き出すこととなる。
【００２７】
中間支持軸体２０の軸２３を軸受部１１から抜き出すには、係止片２５が爪部３２を乗り越えるまで、中間支持軸体２０を移動させる必要がある。しかしながら、上述のように、本実施の形態に係る支持軸構造１０においては、中間支持軸体２０は、カバー部３１が覆っていない範囲に突出物が無い。このため、素手で（つまり、工具を用いずに）中間支持軸体２０を移動しようとしても、指が滑って中間支持軸体２０を動かすことが容易ではなく、中間支持軸体２０の軸２３を軸受部１１から抜き出すことは容易ではない。したがって、一般ユーザーは、容易に上ベーン３を取り外すことができない。
【００２８】
なお、本実施の形態に係る支持軸構造１０においては、中間支持軸体２０は、カバー部３１が覆っていない範囲に指を引っかけられるものが無い構成とした。しかしながら、指を引っかけることができるような大きさの突出物（例えば軸サポート片２２程度の大きさの突出物）でなければ、つまり、指を引っかけることができないような突出物であれば、中間支持軸体２０のカバー部３１が覆っていない範囲に設けられていてもよい。本実施の形態では、素手のみで軸２３を軸受部１１から抜き出すことをより困難とするため、中間支持軸体２０のカバー部３１が覆っていない範囲に突出物が無い構成としている。
【００２９】
また、図６に示すように、本実施の形態に係る中間支持軸体２０においては、ベース板２１の側縁部と係止片２５の第１側縁部２５ａとにより形成される角度α１が、ベース板２１の側縁部と係止片２５の第２側縁部２５ｂとにより形成される角度α２よりも小さくなっている。つまり、軸２３を軸受部１１から抜き出すときに中間支持軸体２０に付与しなければならない力は、軸２３を軸受部１１へ挿入するときに中間支持軸体２０に付与しなければならない力よりも大きなものが必要となる。このため、素手のみで軸２３を軸受部１１から抜き出すことをさらに困難にすることができる。
【００３０】
また、本実施の形態においては、爪部３２と上ベーン３の背面部との間に形成される隙間Ｌ２は、爪部３２と上ベーン３の背面部との間に挟まれる範囲のベース板２１の厚みＬ１以下の大きさとなっている（つまり、Ｌ１≧Ｌ２となっている）。このため、上ベーン３の背面部上でベース板２１を移動（摺動）させる際の抵抗が増加し、素手のみで軸２３を軸受部１１から抜き出すことをさらに困難にすることができる。
【００３１】
一方、本実施の形態に係る支持軸構造１０は、ドライバー等の一般的な工具を用いることにより、軸２３を軸受部１１から容易に抜き出すことが可能となっている。つまり、本実施の形態に係る空気調和機１００は、ドライバー等の一般的な工具を用いることにより、上ベーン３を容易に取り外すことが可能となっている。例えば、ドライバーを係止片２５の第２側縁部２５ｂに押し当てて中間支持軸体２０を押圧する。これにより、係止片２５が爪部３２を乗り越え、軸２３を軸受部１１から容易に抜き出すことができる。したがって、サービス業者が空気調和機１００のメンテナンスを行う場合等、ドライバー等の一般的な工具を用いることにより、上ベーン３を容易に取り外すことができる（つまり、メンテナンス性が損なわれることはない）。
【００３２】
以上、このように構成された空気調和機１００においては、素手では容易に上ベーン３及び下ベーン４を取り外すことができないが、一般的な工具を用いることにより容易に上ベーン３及び下ベーン４を取り外すことが可能な空気調和機を得ることができる。
【００３３】
また、ベース板２１の側縁部と係止片２５の第１側縁部２５ａとにより形成される角度α１が、ベース板２１の側縁部と係止片２５の第２側縁部２５ｂとにより形成される角度α２よりも小さくなっているので、素手で上ベーン３及び下ベーン４を取り外すことをより困難にすることができる。
【００３４】
また、爪部３２と上ベーン３の背面部との間に形成される隙間Ｌ２は、爪部３２と上ベーン３の背面部との間に挟まれる範囲のベース板２１の厚みＬ１以下の大きさとなっているので、素手で上ベーン３及び下ベーン４を取り外すことをより困難にすることができる。
【符号の説明】
【００３５】
１  筐体、１ａ  吸込口、１ｂ  吹出口、２  ファン、３  上ベーン、４  下ベーン、５  軸、６  軸受部、１０  支持軸構造、１１  軸受部、２０  中間支持軸体、２１  ベース板、２２  軸サポート片、２３  軸、２４  スリット、２５  係止片、２５ａ  第１側縁部、２５ｂ  第２側縁部、３１  カバー部、３２  爪部、３３  ストッパー、３４  ガイド、１００  空気調和機（室内機）。
【図１】
0005489956.tif 000002
【図２】
0005489956.tif 000003
【図３】
0005489956.tif 000004
【図４】
0005489956.tif 000005
【図５】
0005489956.tif 000006
【図６】
0005489956.tif 000007
【図７】
0005489956.tif 000008
【図８】
0005489956.tif 000009